(57)【要約】【課題】電磁弁を取外さなくとも基板をマニホールドに着脱できて、基板の交換等を容易であり、また、表示灯を基板上に設けて、構成の簡素化を図り、外部からの視認も容易にしたマニホールドバルブを提供することにある。【解決手段】マニホールド２上に配設される多数の電磁弁３の電磁操作部３Ｂをマニホールド２の長手方向に沿う一方の側面２ｂよりも突出させて取り付け、上記各電磁弁３に給電するための電気回路を有する基板４を、上記側面から突出する電磁操作部下において、該側面に取付ボルト３３，３６により着脱自在に取り付け、上記基板４の外表面に、各電磁弁３に対応させて給電コネクタ２１と表示灯２２を設け、該表示灯は、マニホールドへの電磁弁の装着状態においても電磁弁の上方から視認可能である位置に配設する。【選択図】        図２
2004176823.tif 000002
【特許請求の範囲】
【請求項１】
マニホールド上に、該マニホールド内の流体流路と連通させた多数の電磁弁を並設し、それらの電磁弁は、その弁部を駆動する電磁操作部を該マニホールドの長手方向に沿う一方の側面よりも突出させて取り付け、
上記多数の電磁弁への給電のための電気回路を有する基板は、マニホールドの上記側面から突出する電磁操作部下において、該側面に取付ボルトにより取り付け、
該基板の取り付けは、マニホールドへの電磁弁装着状態においても着脱可能とし、
上記基板は、その外表面に、上記多数の電磁弁にそれぞれ対応させて給電コネクタ及び電磁弁の動作表示を行う表示灯を設け、
上記給電コネクタは、上記マニホールドに対する電磁弁の取り付けと同時に該電磁弁の受電端子とプラグインで接続される位置に配設し、
上記表示灯は、マニホールドへの上記電磁弁の装着状態においても電磁弁の上方から視認可能である位置に配設した、
ことを特徴とするマニホールドバルブ。
【請求項２】
マニホールドの側面に対して取付ボルトにより固定した基板が、該取付ボルトの螺脱時に、給電コネクタを電磁弁の受電端子から脱離する方向に移動可能である、
ことを特徴とする請求項１に記載のマニホールドバルブ。
【請求項３】
上記基板における電磁弁側に、各電磁弁の受電端子に対応する上記給電コネクタが列設され、該基板における反電磁弁側に上記表示灯が各電磁弁に対応させて列設されており、
上記表示灯がマニホールド上の電磁弁側から見て、上記給電コネクタとほぼ同じかそれより外方に突出するように取り付けられている、
ことを特徴とする請求項１または２に記載のマニホールドバルブ。
【請求項４】
上記基板の長手方向の端部における給電コネクタの設置域外の巾を、マニホールド上の電磁弁側に拡大して、各電磁弁に対応する給電コネクタと電気的に接続された多極の一括配線用コネクタの取付域を形成し、
該取付域に長手方向を給電コネクタの配列方向と直交する方向に向けた上記一括配線用コネクタを固定し、
上記基板における一括配線用コネクタの取付域が、該コネクタと略同長のホルダーを介してマニホールドに固定されている、
ことを特徴とする請求項１ないし３のいずれかに記載のマニホールドバルブ。
【請求項５】
上記基板の一端が上記ホルダーを介してマニホールドとの間に隙間を介在させて固定され、上記基板の他端がスペーサを介してマニホールドとの間に同隙間を介在させて固定されている、
ことを特徴とする請求項４に記載のマニホールドバルブ。
【発明の詳細な説明】
【０００１】
【発明の属する技術分野】
本発明は、多数の小型の電磁弁をマニホールドに搭載するようにしたマニホールドバルブに関するものである。
【０００２】
【従来の技術】
従来から一般的に知られているマニホールドバルブでは、マニホールド上に該マニホールド内の流体流路と連通させた多数の電磁弁を並設し、マニホールド内を通して圧力流体を給排するようにしている。また、電磁弁の小型化に伴い、該マニホールド上に取り付けた印刷配線基板上の電気回路を通して、それぞれの電磁弁の電磁操作部に給電を行うようにしている。その場合、電磁弁はマニホールドに対する取り付けと同時に、それに設けた受電端子が基板に設けた給電コネクタに対してプラグインで接続するように構成される（例えば、特許文献１参照）。
【０００３】
しかしながら、上記公知のマニホールドバルブでは、通常、マニホールド上に基板を支持させて、それに設けた給電コネクタに対してプラグインで電磁弁を取り付けるようにしているので、マニホールドに電磁弁を取り付けた状態では基板の交換ができず、例えば、保守、整備、交換等のために印刷配線基板を取り外そうとしても、マニホールド上に配設した多数の電磁弁を取り外さなければ印刷配線基板を取外すことができないという問題がある。更に、上記基板上の印刷配線は他物との接触時等の外力によって破損しやすく、そのため、できるだけ他物との接触を避けられる位置に設けるのが望ましいが、それによっても基板のみの着脱が困難になる。
【０００４】
また、電磁弁の小型化に伴い、電磁弁自体にその動作状態を表示する表示灯を設けることが困難になり、このような問題の対策としては、通常、マニホールドに表示灯を保持させるケーシングを付設して、それに通電回路や基板を収容し、それによって通電回路や基板が他物と接触するのも避けるなどの手段が考えれるが、上記ケーシングの付設に伴って部品点数が増加し、装置全体の製造コストが増大してしまうと言う問題がある。
【０００５】
【特許文献１】
実公平５−８６９８号公報（第１〜２図、第４〜５図）
【０００６】
【発明が解決しようとする課題】
本発明は、このような問題を解消するためになされたもので、その技術的課題は、電磁弁のマニホールドへの装着時に、該マニホールドに取り付けた基板の給電コネクタに対して電磁弁の受電端子をプラグインで接続可能でありながら、電磁弁を取り外さなくとも基板をマニホールドから着脱自在とし、それによって、基板の交換、保守、整備等を容易にしたマニホールドバルブを提供することにある。
【０００７】
本発明の他の技術的課題は、基板をケーシング等に収容したりしてコストを増大させることなしに、基板上の印刷配線と他物との接触をできるだけ避けられるようにしたマニホールドバルブを提供することにある。
本発明の他の技術的課題は、電磁弁の小型化に伴い、電磁弁自体に設けることが困難な動作状態の表示灯を、ケーシング等に保持させることなく、印刷配線が他物と接触するのを避けられるように配設した基板上に設けて、構成の簡素化を図りながらも、外部からの視認を容易にして、各電磁弁の動作状態が明確にわかるようにしたマニホールドバルブを提供することにある。
【０００８】
【課題を解決するための手段】
上記課題を解決するために、本発明に係るマニホールドバルブは、マニホールド上に、該マニホールド内の流体流路と連通させた多数の電磁弁を並設し、それらの電磁弁は、その弁部を駆動する電磁操作部を該マニホールドの長手方向に沿う一方の側面よりも突出させて取り付け、上記多数の電磁弁への給電のための電気回路を有する基板は、マニホールドの上記側面から突出する電磁操作部下において、該側面に取付ボルトにより取り付け、該基板の取り付けは、マニホールドへの電磁弁装着状態においても着脱可能とし、上記基板は、その外表面に、上記多数の電磁弁にそれぞれ対応させて給電コネクタ及び電磁弁の動作表示を行う表示灯を設け、上記給電コネクタは、上記マニホールドに対する電磁弁の取り付けと同時に該電磁弁の受電端子とプラグインで接続される位置に配設し、上記表示灯は、マニホールドへの上記電磁弁の装着状態においても電磁弁の上方から視認可能である位置に配設したことを特徴とするものである。
【０００９】
本発明の具体的な実施形態においては、上記マニホールドバルブにおいて、マニホールドの側面に対して取付ボルトにより固定した基板が、該取付ボルトの螺脱時に、給電コネクタを電磁弁の受電端子から脱離する方向に移動可能であるように構成される。
また、上記基板における電磁弁側に、各電磁弁の受電端子に対応する上記給電コネクタが列設され、該基板における反電磁弁側に上記表示灯が各電磁弁に対応させて列設されており、上記表示灯がマニホールド上の電磁弁側から見て、上記給電コネクタとほぼ同じかそれより外方に突出するように取り付けられているのが適切である。
【００１０】
更に、上記マニホールドバルブにおいては、上記基板の長手方向の端部における給電コネクタの設置域外の巾を、マニホールド上の電磁弁側に拡大して、各電磁弁に対応する給電コネクタと電気的に接続された多極の一括配線用コネクタの取付域を形成し、該取付域に長手方向を給電コネクタの配列方向と直交する方向に向けた上記一括配線用コネクタを固定し、上記基板における一括配線用コネクタの取付域が、該コネクタと略同長のホルダーを介してマニホールドに固定されているものとすることができ、この場合に、上記基板の一端が上記ホルダーを介してマニホールドとの間に隙間を介在させて固定され、上記基板の他端がスペーサを介してマニホールドとの間に同隙間を介在させて固定されているものとするのが望ましい。
【００１１】
上記構成を有する本発明のマニホールドバルブは、マニホールドへの電磁弁の装着時に、該マニホールドに取り付けた基板の給電コネクタに対して電磁弁の受電端子をプラグインで接続可能でありながら、マニホールドへの電磁弁の装着状態においても基板を着脱できるようにしているので、基板の取り外しに際して電磁弁を取り外す必要がなく、基板のみをマニホールドから取り外して、該基板の交換、保守、整備等を容易に行うことができる。個々の電磁弁のみを個別的に取り外すことができるのは勿論である。
【００１２】
また、上記基板は、その外面側に各電磁弁に対応する給電コネクタ及び電磁弁の動作表示を行う表示灯を設け、その裏面とマニホールドとの間にホルダー及びスペーサにより隙間を介在させているので、その表裏面に適宜電磁弁への給電のための電気回路を設けたり電子部品を搭載することができるばかりでなく、基板上の印刷配線と他物との接触をも避けることができる。しかも、電磁弁の小型化等により電磁弁自体に設けることが困難な表示灯を、別部材のケーシング等に保持させることなく、基板上に設けているので、全体として低コストで構成することができる。
更に、上記表示灯を、印刷配線が他物と接触するのを避けられるように配設した基板上に設けて、構成の簡素化を図っているが、外部からの該表示灯の視認も容易であり、各電磁弁の動作状態を明確に知ることができる。
【００１３】
また、上記基板は、その長手方向の端部における給電コネクタの設置域外の巾を、マニホールド上の電磁弁側に拡大して、各給電コネクタと電気的に接続された多極の一括配線用コネクタの取付域を形成し、該取付域に長手方向を給電コネクタの配列方向と直交する方向に向けた上記一括配線用コネクタを固定しているので、比較的長大な一括配線用コネクタを、マニホールド上への電磁弁配列部分の端部に収まりよく配設することができ、しかも、基板と共にホルダーによって安定的に支持させることができる。
【００１４】
【発明の実施の形態】
図１〜図３は本発明に係るマニホールドバルブの一実施例を示すものであり、該マニホールドバルブ１は、内部に流体流路を形成したマニホールド２と、該マニホールド２の電磁弁設置面２ａ上にその長手方向に沿って配設される多数の電磁弁３と、該多数の電磁弁３に給電するための電気回路を有すると共に、上記マニホールド２の長手方向の一方の側面２ｂに着脱自在に取り付けられる印刷配線基板４とを有している。
【００１５】
上記電磁弁３は、上記電磁弁設置面２ａに着脱自在に固定される弁ボディ５を備え、この弁ボディ５に弁機構を組み込むことによって弁部３Ａを構成させると共に、該弁ボディ５に、上記弁機構の弁部材６を駆動する電磁操作部３Ｂを組み付けている。
上記弁部３Ａは、弁ボディ５内に形成された弁室の端部を弁座体７によって閉鎖し、該弁室内に可動に配設した弁部材６が、電磁操作部３Ｂにおける可動鉄心１０の駆動により、弁ボディ５に設けた排出弁座５ａ及び弁座体７に設けた供給弁座７ａに選択的に接離し、弁室に開口している電磁弁の出力ポートＡを、排出弁座５ａを通して排出ポートＲに、あるいは、供給弁座７ａを通して入力ポートＰに連通させるものである。
【００１６】
上記電磁操作部３Ｂは、弁部３Ａ側から伸びる弁ボディ５の筒状部５ｂの周囲にコイル８を捲回すると共に、該筒状部５ｂ内に固定鉄心９及び可動鉄心１０を収容し、更に、該固定鉄心９の端面に接し且つ上記コイル８の上部を覆ったうえで、可動鉄心１０の弁部３Ａ側に近接する位置まで伸びるヨーク１１を備えている。
【００１７】
上記電磁弁３をマニホールド２の設置面２ａに固定するため、該設置面２ａには取付ボルト１３が螺入される複数のネジ孔１４が設けられ、一方、電磁弁３の弁部３Ａには、取付け金具１５，１６の係止端１５ａ，１６ａが係合する係合溝を設け、二つの電磁弁３の隣接部では、取付け金具１５を用いてその両端の係止端１５ａを隣接する弁部３Ａの各係止溝に係合させ、電磁弁の配列の両端では、取付け金具１６を用いてその係止端１６ａを電磁弁の係止溝に係合させ、それぞれの取付け金具１５，１６を通して取付ボルト１３をネジ孔１４に螺入することにより、各電磁弁３が上記マニホールド２に着脱自在に固着される。この際、上記電磁操作部３Ｂは、マニホールド２の長手方向に沿う一方の側面２ｂよりも外方へ突出させて取り付けられる。
【００１８】
上記多数の電磁弁３への給電のための電気回路を有する基板４は、マニホールド２の上記側面２ｂから突出する電磁操作部３Ｂの下方において、該側面２ｂに取り付けられているが、この基板４の取り付けは、後述するように、マニホールド２への電磁弁３の装着状態においても該基板４が着脱可能となるように固定される。
【００１９】
上記基板４は、その外表面に上記各電磁弁３に対応させて、多数の給電コネクタ２１と、電磁弁の動作表示を行う多数の表示灯２２とを有している。上記給電コネクタ２１は、基板４における電磁弁３側において、上記電磁操作部３Ｂの受電端子２３に対向して列設され、しかも、上記マニホールド２に対する電磁弁３の取り付けと同時に該電磁弁の受電端子２３とプラグインで接続される位置に配置されている。
なお、上記電磁弁３の受電端子２３の基端側には、緩衝及び絶縁用のゴムブッシュ２４が設けられている。
【００２０】
また、上記表示灯２２は、該基板４における反電磁弁側において、マニホールド２への上記電磁弁３の装着状態においても電磁弁３の上方から視認可能な位置に列設され、具体的には、上記各電磁弁に対応させて、マニホールド２上の電磁弁３側から見て、外電磁弁３の電磁操作部３Ｂと上記給電コネクタ２１のうちで外方に突出しているものとほぼ同じか、それより更に外方に突出するように取り付けられている。
【００２１】
これにより、各電磁弁３と表示灯２２との対応関係が明瞭になり、かつ外部からの該表示灯２２の視認も容易であり、各電磁弁３の動作状態を明確に知ることができる。
しかも、電磁弁の小型化等により電磁弁自体に設けることが困難な表示灯を、別部材のケーシング等に保持させることなく、通電のための電気回路を有する基板４上に設け、各電磁弁と対応させているので、構成が簡素化され、全体として低コストで構成することができる。
【００２２】
上記マニホールド２は、上記基板４を取付ける側の側面２ｂの幅方向の中央部に、長手方向に沿う凹溝２ｃを設け、マニホールド２の長手方向の一端側で上記凹溝２ｃの両側に形成される側壁２ｄに、基板４のホルダー２８を固定するための固定ボルト２９の通し孔３１及びネジ孔３２を設け、上記凹溝２ｃにホルダー２８の脚部２８ａを嵌入したうえで、ネジ孔３２から該脚部２８ａに設けた固定用孔２８ｂを通して固定ボルト２９を螺挿することにより、該ホルダー２８を固定できるようにしている。上記ホルダー２８は、基板４を固定するためのネジ孔２８ｃを有し、基板４を介してこのネジ孔２８ｃに螺入される取付ボルト３３により、該基板４の一端側が固定されている。
また、上記マニホールド２の長手方向の他端側における上記側面２ｂにはネジ孔３４を設け、管状のスペーサ３５を介して該ネジ孔３４に螺入される取付ボルト３６により基板４の他端側が固定されている。
【００２３】
このようにして上記基板４の一端が上記ホルダー２８を介してマニホールド２に固定され、該基板４の他端がスペーサ３５を介してマニホールド２に固定されると、基板４の裏面とマニホールドとの間に隙間を介在させることができ、そのため、基板４の表裏面に適宜電磁弁３への給電のための電気回路を設けたり電子部品を搭載することができるばかりでなく、基板４上の印刷配線と他物との接触をも避けることができる。
【００２４】
また、マニホールド２の側面２ｂに対して取付ボルト３３，３６により固定した基板４は、該取付ボルト３３，３６の螺脱時に、給電コネクタ２１を電磁弁３の受電端子２３から脱離する方向に移動可能であり、そのため、マニホールド２への電磁弁３の装着時には、基板４の給電コネクタ２１に対して電磁弁３の受電端子２３をプラグインで接続可能であるが、マニホールド２への電磁弁３の装着状態においても、基板４をマニホールドから着脱することができ、基板４の取り外しに際して電磁弁３を取り外す必要がないので、該基板４の交換、保守、整備等を容易に行うことができる。
なお、上記マニホールド２の長手方向の両端部には、該マニホールド２の上面下面に貫通するマニホールド固定孔３８を設けている。
【００２５】
上記基板４は、その長手方向の一端部における給電コネクタ２１の設置域外の巾を、マニホールド２上の電磁弁３側に拡大して、各電磁弁３に対応する給電コネクタ２１と電気的に接続された多極の一括配線用コネクタ４１の取付域４０を形成し、該取付域４０に長手方向を多数の給電コネクタ２１の配列方向と直交する方向に向けた上記一括配線用コネクタ４１を固定している。そして、上記基板４における一括配線用コネクタ４１の取付域４０が、該コネクタ４１と略同長の前記ホルダー２８に対して前記取付ボルト３３で固定され、その際、上記一括配線用コネクタ４１の固定部と上記マニホールド側面２ｂとの間に絶縁シート４３を介在させている。
【００２６】
これにより、比較的長大な一括配線用コネクタ４１を、マニホールド２上への電磁弁配列部分の端部に収まりよく配設することができ、しかも、上記一括配線用コネクタ４１及び基板４はホルダー２８によりマニホールド側面２ｂに強固、安定的に支持され、一括配線用コネクタ４１を外部電源に接続するための相手側コネクタの着脱も安定的に行うことができる。
【００２７】
上記マニホールド２内には、電磁弁設置面２ａに設けた多数の開口４５Ｐ，４５Ａ，４５Ｒを通して、上記電磁弁３の入力ポートＰ、出力ポートＡ及び排出ポートＲに連通させる多数の流体流路４６，４７，４８を設け、また、電磁弁３の入力ポートＰに連通させる多数の流体流路４６、及び同排出ポートＲに連通させる多数の流体流路４８のそれぞれに連通して、マニホールド２内をその長手方向に伸びる共通流路５０，５１を設け、マニホールド２の長手方向端に、それらの共通流路５０及び５１の入力口５０ａ及び排出口５１ａをそれぞれ開口させている。なお、マニホールド２の長手方向両端の入力口５０ａ及び排出口５１ａのうち、不要な口はプラグにより閉じられる。
【００２８】
また、上記各電磁弁３の出力ポートＡに連通させた各流体流路４７は、マニホールド２の上記基板４が設けられた側と反対側の側面２ｅにおける出力口５３にそれぞれ開口させている。該出力口５３にシール部材５４を介して嵌入された管継ぎ手５５は、その外周面の凹溝５５ａに、マニホールド２に脚部が挿入されるＵ字形のクリップ５６を係合させることにより、出力口５３からの抜け出しが防止されている。
【００２９】
【発明の効果】
以上に詳述したように、本発明によれば、電磁弁のマニホールドへの装着時に、該マニホールドに取り付けた基板の給電コネクタに対して電磁弁の受電端子をプラグインで接続可能でありながら、電磁弁を取り外さなくとも基板をマニホールドに着脱でき、それによって基板の交換、保守、整備等を容易に行うことができる。
また、基板を別部材のケーシング等に収容したり、電磁弁の小型化に伴って電磁弁自体に設けることが困難な表示灯を該ケーシング等に保持させたりすることなく、基板上に設けて、構成の簡素化、コストの低減を図りながら、外部からの表示灯の視認も容易にしたマニホールドバルブを提供することができる。
【図面の簡単な説明】
【図１】本発明に係るマニホールドバルブの一実施例を示す斜視図である。
【図２】１つの電磁弁のみを残し他の電磁弁を省略した上記マニホールドバルブの分解斜視図である。
【図３】上記実施例の縦断面図である。
【符号の説明】
１        マニホールドバルブ
２        マニホールド
２ｂ      側面
３        電磁弁
３Ａ      弁部
３Ｂ      電磁操作部
４        基板
２１        給電コネクタ
２２        表示灯
２３        受電端子
２８        ホルダー
３３，３６  取付ボルト
３５        スペーサ
４０        取付域
４１        一括配線用コネクタ
４６，４７，４８    流体流路
【図１】
2004176823.tif 000003
【図２】
2004176823.tif 000004
【図３】
2004176823.tif 000005